(57)【特許請求の範囲】
【請求項１】
建築物外壁の下地面に取り付けられた二重編地と、該二重編地の外側表面に取り付けられた仕上層を有し、前記二重編地が表裏二層の編地と該二層の編地を間隔を開けて連結する連結糸を有する構造を備え、前記下地面と仕上層との間に通気層を形成しており、更に、前記仕上層が少なくとも、施工現場で前記二重編地の表面に直接、湿式工法により下塗り材を塗布することで、前記二重編地の表面の編地内に下塗り材の一部が入り込んだ構造に形成された下塗り層を有しており、前記二重編地は、表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍであることを特徴とする外壁構造。
【請求項２】
建築物外壁の下地面に取り付けられた断熱材と、その断熱材の外側表面に取り付けられた二重編地と、該二重編地の外側表面に取り付けられた仕上層を有し、前記二重編地が表裏二層の編地と該二層の編地を間隔を開けて連結する連結糸を有する構造を備え、前記断熱材と仕上層との間に通気層を形成しており、更に、前記仕上層が少なくとも、施工現場で前記二重編地の表面に直接、湿式工法により下塗り材を塗布することで、前記二重編地の表面の編地内に下塗り材の一部が入り込んだ構造に形成された下塗り層を有しており、前記二重編地は、表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍであることを特徴とする外壁構造。
【請求項３】
前記仕上層が、前記下塗り層の上に形成された上塗り層を有することを特徴とする請求項１又は２記載の外壁構造。
【請求項４】
建築物外壁の下地面に、表裏二層の編地と該二層の編地を間隔を開けて連結する連結糸を有する構造の二重編地であって、前記表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍである前記二重編地を取り付ける工程と、該二重編地の外側表面に仕上層を形成する工程を有し、該仕上層を形成する工程が、少なくとも、前記二重編地の表面に直接、湿式工法により下塗り材を塗布することで、前記二重編地の表面の編地内に下塗り材の一部が入り込んだ構造の下塗り層を形成する工程を有することを特徴とする外壁施工方法。
【請求項５】
建築物外壁の下地面に、断熱材を取り付ける工程と、該断熱材の外側表面に、表裏二層の編地と該二層の編地を間隔を開けて連結する連結糸を有する構造の二重編地であって、前記表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍである前記二重編地を取り付ける工程と、該二重編地の外側表面に仕上層を形成する工程を有し、該仕上層を形成する工程が、少なくとも、前記二重編地の表面に直接、湿式工法により下塗り材を塗布することで、前記二重編地の表面の編地内に下塗り材の一部が入り込んだ構造の下塗り層を形成する工程を有することを特徴とする外壁施工方法。
【発明の詳細な説明】
【技術分野】
【０００１】
本発明は建築物の外壁構造及びその施工方法に関し、特に結露及び漏水防止用の通気機能を備えた外壁構造及びその施工方法に関する。
【背景技術】
【０００２】
近年、省エネを目的として建築物の高断熱化及び高気密化が進んでいる。その結果、建築物外壁の内外に大きい温度差が生じて外壁内部に結露が発生しやすくなる。また、仕上材の表面及び目地に、地震時や径年劣化によりクラックが入り、このクラックから外壁内部に漏水することもある。この結露及び漏水により外壁内部の材料に不具合、例えば、木材が腐敗するなどの不具合が生じる可能性が高くなっている。そこで、結露及び漏水を防止するため外壁内部に通気層を設けた通気機能付外壁構造が使用されるようになってきた。
【０００３】
従来、通気機能付外壁構造としては、建築物外壁の下地面に、或いは外断熱壁の場合には建築物外壁に取り付けた断熱材の表面に、多数の細長い木製棒材を間隔をあけて並べて形成した通気胴縁を取り付け、その上にラスなどの金網を張ってモルタルを塗工し、表面層を形成したもの、前記した通気胴縁の上に、表面にモルタル層を形成した複合板を取り付け、表面層を形成したもの（例えば、特開２００５−３３６８２３号公報）、通気胴縁に代えて、多数の凸部を形成した通気用ラスを取り付け、その上に防水紙とラスなどの金網を張ってモルタルを塗工し、表面層を形成したもの（特開２００６−５２５３８号公報）などが知られている。
【０００４】
しかしながら、これらの従来の外壁構造では、通気層形成のために用いる通気胴縁や通気用ラスの構造が複雑で現場での取り付け作業が面倒であるという問題があった。また、通気胴縁や通気用ラスは重量が大きいため、この点からも施工に手間がかかり、しかも建築物の外壁は、重い通気胴縁や通気用ラスの重量に耐えるように強度を大きくしておく必要があるといった問題点もあった。
【０００５】
【特許文献１】特開２００５−３３６８２３号公報
【特許文献２】特開２００６−５２５３８号公報
【発明の開示】
【発明が解決しようとする課題】
【０００６】
本発明はかかる問題点に鑑みてなされたもので、軽量な材料を用いて通気層を簡単に形成でき、工期の短縮、コスト低減を図ることのできる外壁構造及びその施工方法を提供することを課題とする。
【課題を解決するための手段】
【０００７】
上記課題を解決すべくなされた本発明の外壁構造は、建築物外壁の下地面に取り付けられた二重編地と、該二重編地の外側表面に取り付けられた仕上層を有し、前記二重編地が、表裏二層の編地と該二層の編地を間隔を開けて連結する連結糸を有する構造を備え、前記下地面と仕上層との間に通気層を形成しており、更に、前記仕上層が少なくとも、施工現場で前記二重編地の表面に直接、湿式工法により下塗り材を塗布することで、前記二重編地の表面の編地内に下塗り材の一部が入り込んだ構造に形成された下塗り層を有しており、前記二重編地は、表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍであることを特徴とする。
【０００８】
また、本発明は外断熱壁に適用することも可能であり、その場合の外壁構造は、建築物外壁の下地面に取り付けられた断熱材と、その断熱材の外側表面に取り付けられた二重編地と、該二重編地の外側表面に取り付けられた仕上層を有し、前記二重編地が表裏二層の編地と該二層の編地を間隔を開けて連結する連結糸を有する構造を備え、前記断熱材と仕上層との間に通気層を形成しており、更に、前記仕上層が少なくとも、施工現場で前記二重編地の表面に直接、湿式工法により下塗り材を塗布することで、前記二重編地の表面の編地内に下塗り材の一部が入り込んだ構造に形成された下塗り層を有しており、前記二重編地は、表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍであることを特徴とする。
【０００９】
【００１０】
上記の外壁構造において、湿式工法によって形成した下塗り層の上には、上塗り層を設けることが好ましい。上塗り層を設けることで、外壁表面に所望の外観や特性を付与することができる。
【００１１】
本発明の施工方法は、建築物外壁の下地面に、表裏二層の編地と該二層の編地を間隔を開けて連結する連結糸を有する構造の二重編地であって、前記表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍである前記二重編地を取り付ける工程と、該二重編地の外側表面に仕上層を形成する工程を有し、該仕上層を形成する工程が、少なくとも、前記二重編地の表面に直接、湿式工法により下塗り材を塗布することで、前記二重編地の表面の編地内に下塗り材の一部が入り込んだ構造の下塗り層を形成する工程を有しており、これによって上記した本発明の外壁構造を形成できる。
【００１２】
また、本発明を外断熱壁に適用した場合の施工方法は、建築物外壁の下地面に、断熱材を取り付ける工程と、該断熱材の外側表面に、表裏二層の編地と該二層の編地を間隔を開けて連結する連結糸を有する構造の二重編地であって、前記表裏二層の編地を連結する連結糸が、編地を形成する紐条部分の連続方向の所定間隔ごとに交互に左右に傾斜したトラス構造をなしていると共に、前記表裏二層の編地の網目の大きさが長さ７〜３５ｍｍ、幅４〜１５ｍｍであり、前記二重編地の厚さが４〜１０ｍｍである前記二重編地を取り付ける工程と、該二重編地の外側表面に仕上層を形成する工程を有し、該仕上層を形成する工程が、少なくとも、前記二重編地の表面に直接、湿式工法により下塗り材を塗布することで、前記二重編地の表面の編地内に下塗り材の一部が入り込んだ構造の下塗り層を形成する工程を有しており、これによって外断熱方式の外壁構造を形成できる。なお、下地面に断熱材を取り付ける工程と断熱材表面に二重編地を取り付ける工程は、かならずしもこの順序で行う場合に限らず、先に断熱材表面に二重編地を取り付ける工程を行い、次いで下地面に断熱材（及びそれに取り付けた二重編地）を取り付ける工程を行っても良く、更には、両工程を同時に行っても、すなわち下地面に断熱材と二重編地を同時に取り付けてもよい。
【発明の効果】
【００１３】
以上の構成になる外壁構造は、下地面（又はその表面に取り付けた断熱材の外側表面）と仕上層との間に二重編地を介在させているので、これが通気層として作用し、外壁内での結露及び漏水を防止できる。また、単に二重編地を下地面（又はその表面に取り付けた断熱材の外側表面）と仕上層との間に配置するのみで通気層を形成できるので、従来の通気胴縁やラス金網を用いて通気層を形成する場合に比べて構造が簡単で施工が容易であり、しかも、二重編地は軽量であるので、この二重編地を取り付けるための壁の補強は必要がなく、建築物のコストダウンを図ることができる。施工に当たっては、二重編地を下地面側に対してネット止めプラ座付ビスや専用ファスナーなどの止めビス、ステープル、接着剤等を用いて容易に取り付けることができ、また、二重編地表面への仕上層の形成は、二重編地の表面に直接、湿式工法で下塗り材を塗布して下塗り層を形成し、その上に上塗り層を形成するとか、ボード類やタイルを貼り付けることにより、行うことができる。仕上層の形成の際、仕上層の下塗り材は、二重編地の表面側の編地内に入り込むので、確実なアンカー効果によって強固に二重編地に接着し、仕上層が下地面に二重編地を介して強固に接着した外壁構造が得られる。しかも、その際、二重編地としてトラス構造を備え、且つ表裏二層の編地の網目の大きさが長さ７〜３５ｍｍ、幅４〜１５ｍｍであり、前記二重編地の厚さが４〜１０ｍｍであるものを用いているので、その二重編地の表面に直接塗布した下塗り材は、二重編地の表裏の編地を連結する連結糸の表面側の端部近辺に入り込むのみであって、表裏の編地間には十分な空隙が残されており、確実に通気層を形成できる。更に、二重編地は従来用いられていたラス金網に比べて柔軟性がよいので、下塗り材が表面側の編地に入り込んだ状態でも連結糸で連結している領域に柔軟性が残っており、このため、二重編地を挟む下地材と仕上層に温度差等に基づく寸法変化の差が生じても、また振動が生じても、二重編地でその寸法変化の差や振動を吸収することができ、仕上層にクラックなどが生じにくい。なお、二重編地を下地面側に取り付けるために止めビスやステープル等に代えて接着剤を用いた場合であっても、接着剤が下塗り材と同様に、二重編地の接着剤に接する側の編地内に且つ連結糸の端部近傍のみに入り込むので、アンカー効果によって二重編地を強固に取り付けることができると共に表裏の編地間に十分な空隙を確保できる。本発明の外壁構造は、任意の建築物、例えば木造や鉄骨造やＲＣ造の建築物の外壁に設けることができる。
【発明を実施するための最良の形態】
【００１４】
以下、本発明を図面に示す実施の形態を参照して更に詳細に説明する。図１は本発明の好適な実施の形態に係る外壁構造を示す概略断面図である。図１において、１は建築物外壁の下地面、２はその下地面を形成する下地材であり、この下地面の上に本発明の実施の形態に係る外壁構造が形成される。ここで、本発明の外壁構造の取り付け対象とする下地材２は、特に限定されるものではなく、建築物外壁の外側表面側に位置する部材であれば任意であり、例えば、木造及び鉄骨造建物において壁の外側表面側に取り付けられた合板、ラス下地板、パネル等でもよいし、ＲＣ造建物における躯体でもよいし、又は、コンクリートブロック壁でもよい。この下地面１の表面に形成される外壁構造は、基本的には、下地面１に取り付けられた二重編地４と、その外側表面に取り付けられた仕上層５を備えている。
【００１５】
二重編地４は、表裏二層の編地６、７とその二層の編地６、７を間隔を開けて連結する連結糸８を有する構造を備えたものであり、下地面１と仕上層５との間に通気層を形成するために使用される。二重編地４としては、図２〜図４に示すトラス構造を持ったものが好適である。以下、このトラス構造の二重編地４を説明する。
【００１６】
図２は二重編地４の概略平面図、図３は二重編地４を連結糸を省略して示す概略平面図、図４は二重編地４の概略断面図である。図２〜図４において、二重編地４は表側の編地６と裏側の編地７と両者を間隔を開けて連結する連結糸８を備えている。表裏の編地６、７はそれぞれ、隣接して配置された紐状部分９を網目１０を形成するように部分的に結節した構造を備えており、且つ表裏の編地６、７の紐状部分９は互いにずれた位置となっている。そして表側の編地６の紐状部分９を下側の編地７の紐状部分９に連結する連結糸８は、編地６の紐条部分９の連続方向の所定間隔ごとに交互に、その紐状部分９の右側に位置する編地７の紐状部分９と左側に位置する編地７の紐状部分９に連結されており、従って、表裏二層の編地を連結する連結糸が、編地を形成する紐条部分の連続方向の所定間隔ごとに交互に左右に傾斜してトラス構造をなしている。二重編地４がトラス構造を備えているので、圧縮強度が高く、このためこの二重編地４を図１に示すように外壁構造に用いた場合に、下地面１と仕上層５との間隔を常に一定に保つことができ、二重編地４による通気層を常に安定して存在させることができる。また、連結糸８が傾斜しているため、二重編地の編地６、７表面に接着剤や下塗り材を塗布した際に編地６、７を越えて入り込んだ接着剤や下塗り材が更に奥の方に入りにくくなり、このため編地６、７の間に十分な空隙を残すことができる。このようなトラス構造の二重編地の詳細な構造及び製造方法は特許第２７６２０５２号公報に記載されており、その特許公報に記載のものを本発明の外壁構造の二重編地４として好適に用いることができる。なお、本発明に用いる二重編地４は図２〜図４に示すトラス構造のものに限定されるものではなく、例えば、表裏の編地６、７を連結する連結糸８は直線状のものに限らず、適当に湾曲したものとしてもよい。湾曲した連結糸を用いた場合には表裏の編地６、７間にクッション性を与えることができる。
【００１７】
本発明で用いる二重編地４の表裏の編地６、７の網目１０の形状は、六角形、菱形、三角形等任意であり、また、それらの角部を円弧状としてもよい。網目１０の大きさは、あまり大きすぎると二重編地表面にモルタル等の接着剤や下塗り材を塗工した時にその接着剤や下塗り材が二重編地内部に入り過ぎて空隙が小さくなってしまい、一方、あまり小さすぎると接着剤や下塗り材が網目内に入り込まず、接着剤や下塗り材に対するアンカー効果が小さく接着力が小さくなるので、これらを考慮して定めればよく、具体的には、長さ７〜３５ｍｍ、幅４〜１５ｍｍに選定する。二重編地４の厚さは、有効な通気層を形成する上から或る程度以上の厚さが必要であるが、通気層としての効果を発揮する厚さがあれば、それ以上に厚くしても効果はさほど向上しないので、これらを考慮して定めればよく、具体的には、４〜１０ｍｍに選定する。
【００１８】
二重編地４に使用する繊維は、特に限定されるものではないが、通常は耐水性に優れるポリエステル、ポリアミド等の合成繊維が使用される。また、これ以外にも、綿、麻等の天然繊維、ガラス繊維、炭素繊維等の無機繊維等を用いてもよい。これらの繊維はマルチフィラメント糸やモノフィラメント糸の形態で使用され、特に、連結糸にはモノフィラメント糸が好適である。
【００１９】
図１において、二重編地４は下地面１に対して直接若しくは両者間に透湿防水シート１５を介在させて取り付けられる。この取り付けは、ネット止めプラ座付ビス、専用ファスナーなどの止めビス１６や、ステープル１７等を用いて行う。また、止めビス１６やステープル１７の代わりに、或いはこれと併用して接着剤を用いて行ってもよい。接着剤としては、わずかに弾性を持つもの、例えば、微弾性樹脂モルタルなどを用いることが好ましい。接着剤を用いて二重編地４を取り付ける場合、下地面１に接着剤を塗布し、その上に二重編地４を押し付けるのみで、その接着剤が二重編地４表面の編地６内に入り込むことで、優れたアンカー効果を発揮でき、簡単な操作で二重編地４を下地面１に強固に接着できる。
【００２０】
二重編地４の表面に形成される仕上層５は、二重編地４の特性を有効に利用する上から湿式工法で形成する。すなわち、二重編地４の表面に湿式工法で下塗り層２０を形成し、その上に上塗り層２１を形成する。下塗り層２０の形成に当たっては下塗り材を２回に分けて塗った方がよく、２回に分けて塗ることにより、二重編地４の表面側の網目に入り込む下塗り材量のばらつきを小さくすることができる。例えば、１回目に網目から最大２ｍｍ程度の厚さに入り込むように塗り、２回目に３〜１０ｍｍ程度塗る。１回目の下塗り後ガラスネット等の補強材２２を貼り、さらに２回目の下塗りをすることにより、二重編地４の網目に入り込む下塗り材量のばらつきを小さくすることができ、乾燥後はクラックが生じにくくなる。二重編地４の網目に入り込む下塗り材量のばらつきを小さくすることで、二重編地４内部の開口部の面積も場所によるばらつきが小さくなる。下塗り層２０にはセメントモルタルや耐水性塗り土等の下塗り材を用いることができ、これらを二重編地４の表面に塗工することで、下塗り材の一部が二重編地４表面の編地７内に入り込み、優れたアンカー効果を発揮でき、簡単な操作で二重編地４の表面に下塗り層２０を強固に接着できる。上塗り層２１には、外壁表面に所望の外観や特性を付与することができる材料を適宜使用すればよく、例えば、無機系仕上げ、弾性仕上げ、吹き付け仕上げ、塗り土仕上げ等により上塗り層２１を形成できる。また、上塗り層２１を形成する代わりに、ボード類やタイルを貼り付けてもよい。
【００２１】
上記構成の外壁構造は、建築物外壁の下地面１に二重編地２を直接若しくは透湿防水シート１５を介して取り付ける工程と、該二重編地４の外側表面に仕上層５を形成する工程を行うことで施工できる。ここで、二重編地４は軽量で柔軟であり、ロールの形態や定尺サイズで供給できるので、取り扱いが容易で且つ下地面１への取り付けがきわめて容易である。また、その二重編地４を下地面１に接着剤で取り付けたり、表面に仕上層５を湿式工法で形成する場合には、簡単な操作で、接着剤と二重編地４との強固な接着、及び二重編地４と仕上層５との強固な接着を確保でき、施工が容易である。
【００２２】
以上のようにして形成された外壁構造は、下地面１と仕上層５との間に二重編地４を介在させているので、これが通気層として作用し、外壁内での結露及び漏水を防止できる。また、単に二重編地４を下地面１と仕上層５との間に配置するのみで通気層を形成できるので、従来の通気胴縁やラス金網を用いて通気層を形成する場合に比べて構造が簡単で施工が容易であり、しかも、二重編地４は軽量であるので、この二重編地４を取り付けるための壁の補強は必要がなく、建築物のコストダウンを図ることもできる。この二重編地４を下地面側に対して接着剤で取り付け且つ仕上層５を湿式工法で形成した場合、接着剤及び下塗り材等は、二重編地４の表裏の編地６、７内に入り込むので、確実なアンカー効果によって強固に二重編地４に接着する。しかも、その際、接着剤及び下塗り材等は、二重編地４の表裏の編地６、７を連結する連結糸８の端部近辺にのみ入り込むので、編地６、７間に十分な空隙が残されており、確実に通気層を形成できる。更に、二重編地４は従来用いられていたラス金網に比べて柔軟性がよいので、接着剤や下塗り材等が表裏の編地６、７に入り込んだ状態でも連結糸８で連結している領域に柔軟性が残っており、このため、二重編地４を挟む下地材２と仕上層５に温度差等に基づく寸法変化の差が生じても、また振動が生じても、二重編地４でその寸法変化の差や振動を吸収することができ、仕上層５にクラックなどが生じにくい。二重編地４を下地面側に止めビス１６やステープル１７で取り付け、接着剤を用いない場合には、二重編地４内の空隙が一層大きくなり、通気性能を一層高めることができる。以上のように、この外壁構造は種々な利点を有している。
【００２３】
上記した実施の形態は、建築物外壁の下地材２の表面に直接通気層を持った外壁構造を形成しているが、本発明はこの場合に限らず、建築物外壁に断熱材を備えた外断熱壁に対しても適用可能である。図５はその場合の実施の形態を示す概略断面図であり、図１に示す実施の形態と同一又は同様な部品には同一符号を付している。図５の実施の形態では、下地材２の表面（下地面）１に直接若しくは透湿防水シート１５を介して断熱材２５を取り付け、その外側表面に二重編地４を取り付け、その外側表面に仕上層５を形成した構成である。断熱材２５及び二重編地４は一緒に外張り断熱用ビス２６によって下地材２に固定されている。なお、二重編地４の取り付けは、外張り断熱用ビス２６を用いる場合に限らず、外張り断熱用ビス２６を用いる代わりに、或いはこれと併用して適当な接着剤を用いてもよい。その接着剤や二重編地４、仕上層５等の詳細は、図１に示す実施の形態で説明したものと同様である。断熱材２５には、発泡樹脂系、無機繊維系、有機繊維系、気泡コンクリート系、発泡セメント系のものなどを適宜用いることができる。断熱材２５の厚さは、２０〜２００ｍｍ程度に選定される。
【００２４】
図５に示す外壁構造は、建築物外壁の下地面１に断熱材２５を取り付ける工程と、該断熱材の外側表面に二重編地４を取り付ける工程と、該二重編地の外側表面に仕上層５を形成する工程を行うことで施工できる。この場合にも、軽量で柔軟な二重編地４を用いたことで、図１の実施の形態と同様に、施工が容易である。また、得られた外壁構造は、二重編地４を用いたことで、図１の実施の形態と同様な利点を備えており、しかも、断熱材２５を設けたことで優れた断熱効果を発揮できるといった利点も有している。
【００２５】
なお、上記の実施の形態では、下地面１に断熱材２５と二重編地４を取り付けているが、断熱材２５に予め二重編地４を取り付けておき、それを下地面１に取り付けることも可能である。すなわち、図６に示すように、ボード状やフェルト状の断熱材２５にあらかじめ接着剤２８によって二重編地４を貼り付けて断熱パネル２９とし、これを建築物の下地面に取り付けることもできる。これにより、更に施工の簡略化を図ることができる。
【００２６】
以上に本発明の好適な実施の形成を説明したが、本発明はこれらの実施の形態に限定されるものではなく、特許請求の範囲の記載範囲内で適宜変更可能であることは言うまでもない。
【図面の簡単な説明】
【００２７】
【図１】本発明の好適な実施の形態に係る外壁構造の概略断面図
【図２】二重編地の概略平面図
【図３】二重編地を、連結糸を省略して示す概略平面図
【図４】二重編地の概略断面図
【図５】本発明の他の実施の形態に係る外壁構造の概略断面図
【図６】本発明の更に他の実施の形態に用いる断熱パネルの概略断面図
【符号の説明】
【００２８】
１  下地面
２  下地材
４  二重編地
５  仕上層
６、７  編地
８  連結糸
９  紐状部分
１０  網目
１５  透湿防水シート
１６  止めビス
１７  ステープル
２０  下塗り層
２１  上塗り層
２２  補強材
２５  断熱材
２６  外張り断熱用ビス
２８  接着剤
２９  断熱パネル
【図１】
0004662965.tif 000002
【図２】
0004662965.tif 000003
【図３】
0004662965.tif 000004
【図４】
0004662965.tif 000005
【図５】
0004662965.tif 000006
【図６】
0004662965.tif 000007